(57)【要約】 【課題】使いやすさの向上を図った電子機器を提供する。【解決手段】電子機器は、筐体と、前記筐体の表面に設けられ、複数の辺を有した凸部と、前記凸部の辺をなぞる指の動きを検出する検出手段と、前記指の動きと所定の入力内容とを対応させた対応テーブルを格納する格納手段と、前記対応テーブルを参照し、前記検出手段が検出した指の動きから入力内容を認識する認識手段とを具備した。【選択図】図２
2015038645.tif 000002
【特許請求の範囲】
【請求項１】
筐体と、
前記筐体の表面に設けられ、複数の辺を有した凸部と、
前記凸部の辺をなぞる指の動きを検出する検出手段と、
前記指の動きと所定の入力内容とを対応させた対応テーブルを格納する格納手段と、
前記対応テーブルを参照し、前記検出手段が検出した指の動きから入力内容を認識する認識手段と、
を具備した電子機器。
【請求項２】
請求項１の記載において、
前記検出手段は、前記凸部の複数の辺に亘る連続した指の動きを検出し、前記対応テーブルは、前記凸部の複数の辺に亘る連続した指の動きと所定の入力内容とを対応させた電子機器。
【請求項３】
請求項１または請求項２の記載において、
前記凸部は、矩形状に形成された電子機器。
【請求項４】
請求項１または請求項３の記載において、
前記検出手段は、前記凸部または前記凸部の周囲において互いに離れて設けられた複数の検知部を有し、この複数の検知部に対する指の通過順序によって指の動きを検出する電子機器。
【請求項５】
請求項１または請求項４の記載において、
前記検出手段は、前記凸部に指が触れた時からその指が前記凸部から離れるまでの間の連続した指の動きをひとつの入力単位として検出する電子機器。
【請求項６】
請求項１または請求項５の記載において、
前記筐体は、前面と、この前面とは反対側に位置した背面とを有し、
当該電子機器は、前記筐体の前面に露出されたタッチパネルを有し、
前記凸部は、前記筐体の背面に設けられた電子機器。
【請求項７】
請求項６の記載において、
前記認識手段は、前記凸部に対する指の動きとは鏡像となる指の動きが前記タッチパネルに入力された時、その鏡像の元となる前記凸部に対する指の動きと同じ入力内容を認識する電子機器。
【請求項８】
請求項１または請求項７の記載において、
前記格納手段は、当該電子機器に対する任意の入力内容を、所定又は任意の指の動きと対応させて上記対応テーブルに追加的に記憶可能である電子機器。
【請求項９】
請求項１または請求項８の記載において、
前記検出手段は、指の座標位置を検出するのではなく、前記凸部の複数の辺における指の移動方向に基づいて指の動きを検出する電子機器。
【請求項１０】
前面と、この前面とは反対側に位置した背面とを有した筐体と、
前記筐体の前面に露出されたタッチパネルと、
前記筐体の背面に設けられた矩形状の凸部を有し、この凸部の辺をなぞる指の動きで入力を受け付ける背面入力部と、
を具備した電子機器。
【発明の詳細な説明】
【技術分野】
【０００１】
本発明の実施形態は、入力部を備えた電子機器に関する。
【背景技術】
【０００２】
いくつかの電子機器は、背面にタッチパネル式の入力部を有する。
【先行技術文献】
【特許文献】
【０００３】
【特許文献１】特開２００２−７７３５７号公報
【発明の概要】
【発明が解決しようとする課題】
【０００４】
電子機器は、使いやすさの向上が要望されている。
【０００５】
本発明は、使いやすさの向上を図った電子機器を提供することである。
【課題を解決するための手段】
【０００６】
実施形態によれば、電子機器は、筐体と、前記筐体の表面に設けられ、複数の辺を有した凸部と、前記凸部の辺をなぞる指の動きを検出する検出手段と、前記指の動きと所定の入力内容とを対応させた対応テーブルを格納する格納手段と、前記対応テーブルを参照し、前記検出手段が検出した指の動きから入力内容を認識する認識手段とを具備した。
【図面の簡単な説明】
【０００７】
【図１】一つの実施形態に係る電子機器の正面図。
【図２】図１中に示された電子機器の背面図。
【図３】図２中に示された背面入力部を示す斜視図。
【図４】図２中に示された背面入力部を示す電子機器の背面図。
【図５】図１中に示された電子機器のシステム構成の一例を示す図。
【図６】図５中に示された記憶部に格納される対応テーブルの一例を示す図。
【図７】図２中に示された背面入力部を用いた入力操作の一例を電子機器の背面側から示す図。
【図８】図７中に示された入力操作を電子機器の正面側から示す図。
【図９】図７中に示された入力操作と鏡像間係にある入力操作を電子機器の正面側から示す図。
【図１０】図４中に示された背面入力部の第１変形例を示す電子機器の背面図。
【図１１】図４中に示された背面入力部の第２変形例を示す電子機器の背面図。
【図１２】図４中に示された背面入力部の第３変形例を示す電子機器の背面図。
【発明を実施するための形態】
【０００８】
以下、実施の形態について、図面を参照して説明する。  
図１乃至図１２は、一つの実施形態に係る電子機器１を開示している。電子機器１は、携帯型の情報処理装置であり、例えば小型のパーソナルコンピュータである。電子機器１は、ユーザーが手に持った状態で使用可能である。
【０００９】
なお本実施形態が適用可能な電子機器は、上記に限定されるものではない。本実施形態は、携帯電話（スマートフォン）や、ＰＤＡ(Personal Digital Assistant)、ゲーム機などを含む種々の電子機器に広く適用可能である。
【００１０】
図１は、ユーザーの左手によって保持された電子機器１を正面から見た図である。図２は、ユーザーの左手によって保持された電子機器１を背面から見た図である。
【００１１】
図１及び図２に示すように、電子機器１は、筐体２を有する。筐体２は、前面３と、背面４と、周面５とを有する。前面３は、電子機器１の正面側に位置する。背面４は、前面３とは反対側に位置する。周面５は、前面３及び背面４に対して起立し、前面３の周縁部と背面４の周縁部とを繋いでいる。なお前面３は、周面５と一体に金属や合成樹脂で形成されてもよく、或いは周面５とは別体にガラスなどで形成されてもよい。前面３、背面４、及び周面５は、それぞれ筐体２の表面の一例である。
【００１２】
図１に示すように、電子機器１は、第１表示パネル６及び第２表示パネル７を備えている。第１表示パネル６及び第２表示パネル７は、それぞれ筐体２に収容されるとともに、筐体２の前面３に露出されている。第１表示パネル６及び第２表示パネル７は、それぞれ画像や映像が表示される表示画面６ａ，７ａと、この表示画面６ａ，７ａに重ねられたタッチパネル８，９（タッチスクリーン）を有している。
【００１３】
第１表示パネル６に設けられた第１タッチパネル８、及び第２表示パネル７に設けられた第２タッチパネル９は、それぞれ筐体２の前面３（正面）に露出されている。第１タッチパネル８及び第２タッチパネル９は、それぞれ例えばユーザーに指で操作されることで、各種の文字やコマンド、座標位置の入力を受け付ける。なお本明細書でいう「コマンド」とは、電子機器１に対する特定の処理の実行指令のことである。
【００１４】
なお電子機器１は、第１表示パネル６が搭載された第１部分１１と、第２表示パネル７が搭載された第２部分１２とを有する。電子機器１は、第１部分１１が第２部分１２に対して固定された平板状のものでもよく、或いは第１部分１１が第２部分１２に対して回動可能であり、第２部分１２が第１部分１１に対して折り畳み可能なものでもよい。
【００１５】
図２に示すように、筐体２の背面４には、背面操作入力部１４（以下、背面入力部１４）が設けられている。図３及び図４に示すように、背面入力部１４は、背面４から突出した凸部１５と、この凸部１５の周りに形成された平坦部１６とを有する。平坦部１６は、凸部１５を取り囲むように凸部１５の全周に亘り形成されている。平坦部１６は、背面４と同色、同模様であり、背面４との境界が不明であってもよく、或いは背面４に対して色や模様が異なり、背面４との境界が視覚的に分かるようになっていてもよい。
【００１６】
凸部１５は、筐体２の外側に突出し、背面４に対して段差を有する。図３に示すように、凸部１５は、背面４に対して起立した側面１８と、凸部１５の先端において背面４と略平行に広がる平面１９とを有する。
【００１７】
図４に示すように、凸部１５は、矩形状に形成され、複数、例えば４つの辺２１，２２，２３，２４と、４つの角部ａ，ｂ，ｃ，ｄとを有する。なお本明細書でいう「矩形状」とは、角部が鋭利に折れ曲がった矩形だけでなく、図４に示すような角部に丸みをもった矩形も含む。
【００１８】
上記４つの辺２１，２２，２３，２４は、図４の位置関係に配置された第１の辺２１、第２の辺２２、第３の辺２３、及び第４の辺２４を有する。同様に、上記４つの角部ａ，ｂ，ｃ，ｄは、第１角部ａ、第２角部ｂ、第３角部ｃ、及び第４角部ｄを有する。
【００１９】
図２に示すように、背面入力部１４は、電子機器１の背面側に位置した指で操作される。背面入力部１４は、上記４つの辺２１，２２，２３，２４の縁をなぞる指の動きで入力を受け付ける。
【００２０】
図４に示すように、凸部１５は、４つの辺２１，２２，２３，２４をなぞる指の動きを検出する検出部３１を有する。検出部３１は、「検出手段」の一例である。検出部３１は、複数、例えば８つの検知部３２を有する。検知部３２は、例えば凸部１５の４つの辺２１，２２，２３，２４に、それぞれ２つずつ分かれて設けられている。
【００２１】
各辺２１，２２，２３，２４に設けられた２つの検知部３２は、互いに離れて配置されている。換言すれば、検出部３１は、凸部１５の全周に亘って連続して配置されているわけではない。検出部３１の分解能は、例えば凸部１５の全周を略８分割した程度である。
【００２２】
検知部３２は、例えば感圧式、静電容量式、光学式、または機械式の検出素子で構成されており、この検知部３２に対する指の通過を検知する。つまり感圧式であればユーザーの指によって加えられた圧力、静電容量式であればユーザーの指がもつ微弱電流で、ユーザーの指がその検知部３２に位置したことを判定する。また、光学式であればユーザーの指によって遮られ、またはユーザーの指によって反射された検出光、機械式であれば触れられることで作動する薄型のスイッチで、ユーザーの指がその検知部３２に位置したことを判定する。
【００２３】
検出部３１は、各辺２１，２２，２３，２４において、２つの検知部３２に対する指の通過順序を検出することで、その辺における指の移動方向、つまり左向きに移動している、右向きに移動している、上向きに移動している、または下向きに移動しているなどを検出する。検出部３１は、指の詳細な位置座標は検出しない。検出部３１は、凸部１５の各辺２１，２２，２３，２４における指の移動方向のみを検出する。
【００２４】
検出部３１は、凸部１５の複数の辺に亘る連続した指の動きを、ひとつの動作として検出する。検出部３１は、第１乃至第４の辺２１，２２，２３，２４に設けられた合計８つの検知部３２からの検知結果を統合することで、凸部１５周りの指の移動軌跡を検出することができる。
【００２５】
検出部３１は、ユーザーの指が凸部１５に触れた時からその指が凸部１５から離れるまでの間の連続した指の動きをひとつの入力単位として検出する。つまり、検出部３１は、凸部１５に対して指を離さないで描かれた、いわゆる一筆書きの動作をひとつの入力単位として検出する。
【００２６】
なお、「指が凸部１５に触れた時」とは、「指が凸部１５に触れたことをいずれかの検知部３２が検知した時」のことであり、「凸部１５から離れる」とは、「いずれの検知部３２も指を検知しなくなってから予め設定された所定時間が経過する」のことである。つまり、いずれの検知部３２も指を検知しなくなってから予め設定された所定時間が経過した時に、ユーザーの指が凸部１５から離れたものと見なす。
【００２７】
図５に示すように、電子機器１は、情報処理部３４と、記憶部３５とを有する。情報処理部３４は、例えばＣＰＵ(Central Processing Unit)と、ＣＰＵと記憶部３５との間を繋ぐシステムコントローラハブなどで構成されている。情報処理部３４は、オペレーティングシステム（ＯＳ）や各種アプリケーションプログラムを実行し、電子機器１の動作を制御する。
【００２８】
情報処理部３４は、第１及び第２のタッチパネル８，９や背面入力部１４から入力情報を受け取る。情報処理部３４は、記憶部３５にアクセスし、必要なデータを記憶部３５との間で読み書きする。また情報処理部３４は、表示パネル６，７に情報処理の結果を表示する。
【００２９】
記憶部３５は、例えばメモリやＨＤＤ(Hard Disk Drive)などで構成され、種々のデータが格納されている。記憶部３５は、指の動きと電子機器１に対する所定の入力内容とを対応させた対応テーブル（図６参照）を格納している。記憶部３５は、「格納手段」の一例である。上記対応テーブルは、凸部１５の複数の辺２１，２２，２３，２４に亘る連続した指の動きと、所定の入力内容とを対応させている。
【００３０】
具体的には、上記対応テーブルは、凸部１５の各辺２１，２２，２３，２４における指の移動方向の組み合わせ、すなわち、凸部１５のどの角部からどの角部に向いて指が移動したかの組み合わせと、電子機器１に対する各種の入力内容を対応させている。なお本明細書で「入力内容」とは、各種文字の入力やコマンドの入力（電子機器１に対する動作指示）が含まれる。「文字」は、アルファベットに加えて、数字や記号も含む。
【００３１】
情報処理部３４は、「認識手段」の一例である。情報処理部３４は、上記対応テーブルを参照し、背面入力部１４が検出した指の動きからユーザーが望む入力内容を認識し、その入力内容を情報処理部３４に読み込む。
【００３２】
図６の対応テーブルは、背面入力部１４による入力操作の一例を示す。なお図６及び以下の説明で、「ａ」，「ｂ」，「ｃ」，「ｄ」は、それぞれ凸部１５の第１角部ａ，第２角部ｂ，第３角部ｃ，第４角部ｄのことである。図６に示すように、電子機器１は、例えばａで指が触れて、その指が触れたままａ→ｂ→ｃ→ｄとなぞり、ｄで指が離れた動作を検出した場合、文字「Ａ」を入力する操作が行われたとして動作する。
【００３３】
同様に、電子機器１は、ｂ→ａ→ｂ→ｃ→ｄ→ａ→ｄ→ａとなぞる動作を検出した場合には文字「Ｂ」、ｃ→ｂ→ａ→ｄとなぞる動作を検出した場合には文字「Ｃ」、ｂ→ａ→ｂ→ｃ→ｄ→ａとなぞる動作をした場合には文字「Ｄ」、ｃ→ｂ→ａ→ｄ→ａ→ｄとなぞる動作を検出した場合には文字「Ｅ」を入力する動作が行われたとして動作する。
【００３４】
さらに記憶部３５は、電子機器１に対する任意の入力内容、例えばユーザーがよく使う文字やコマンドの入力を、所定または任意の指の動きと対応させて上記対応テーブルに追加的に記憶可能である。つまり、ユーザーは、任意の入力内容を、例えば今まで割り当てられていた特定の入力内容に変えて、特定の指の動作に対応させることができる。
【００３５】
さらに、ユーザーは、新しい指の動きを新規に登録し、この新規の指の動きに任意の入力内容を対応させることもできる。すなわち、特定の指の動作に対して、任意の機能をショートカットとして割り当てることができる。情報処理部３４は、新しい指の動きや、任意の入力内容（ショートカット機能）を上記対応テーブルに追加的に登録する設定手段の一例である。
【００３６】
次に、電子機器１の前面３に露出したタッチパネル８，９による入力操作の一例を説明する。情報処理部３４は、凸部１５に対する指の動きとは鏡像となる指の動きがタッチパネル８，９に入力された時、その鏡像の元となる凸部１５に対する指の動きと同じ入力内容を認識する。この具体例を以下に示す。
【００３７】
図７は、電子機器１を背面側から見た図である。図７に示すように、例えば第１の辺２１を下から上に動き、第２の辺２２を右から左へ動き、第３の辺２３を上から下に動く動きは、第１角部ａ、第２角部ｂ、第３角部ｃ、及び第４角部ｄを順に回る動きとして捉えられ、上記対応テーブルに基づき、文字「Ａ」が入力される。
【００３８】
図８は、電子機器１を正面側から見た図である。凸部１５を用いて文字「Ａ」を入力する指の動作は、図８のように、背面側から見た動きに対して鏡像対称の間係になる。図９に示すように、図８と同じ動きが正面側のタッチパネル８，９から入力された場合、電子機器１は、文字「Ａ」を入力する操作が行われたとして動作する。
【００３９】
このような構成によれば、電子機器１の使いやすさが向上する。  
すなわち、仮に電子機器１の背面にタッチパッドを備えた場合、タッチパッドは平坦であるため、機器背面での操作状態が見えない状態での手書き入力操作は容易ではない。
【００４０】
一方で本実施形態の電子機器１は、筐体２の背面４に設けられた凸部１５の辺２１，２２，２３，２４をなぞる指の動きで入力を行うことができる。このため、例え機器背面にある入力部であっても、凸部１５の辺２１，２２，２３，２４に指を沿わせることで、入力操作をより容易、より確実に行うことができる。さらに、凸部１５に指を沿わせながら凸部１５から入力操作を行うことができるので、装置を片手で保持した状態での入力操作が安定しやすく容易になる。また正面のタッチパネル８，９での操作が減り、タッチパネル８，９の画面が汚れにくくなる。
【００４１】
本実施形態では、電子機器１は、複数の辺２１，２２，２３，２４を有した凸部１５と、凸部１５の辺２１，２２，２３，２４をなぞる指の動きを検出する検出手段と、指の動きと所定の入力内容とを対応させた対応テーブルを格納する格納手段と、対応テーブルを参照し、前記検出手段が検出した指の動きから入力内容を認識する認識手段とを備えている。これにより、凸部１５の辺２１，２２，２３，２４の縁をなぞるといった動作で、文字やコマンドといった種々の入力を行うことができる。このような入力部を備えることで、電子機器１の入力方法を多様化させることができる。
【００４２】
本実施形態では、前記検出手段は、凸部１５の複数の辺２１，２２，２３，２４に亘る連続した指の動きを検出する。前記対応テーブルは、凸部１５の複数の辺２１，２２，２３，２４に亘る連続した指の動きと所定の入力内容とを対応させている。これによれば、数多くの入力パターンを設定することができるので、凸部１５に幅広い入力機能を持たせることができる。
【００４３】
本実施形態では、凸部１５は矩形状に形成されている。例えば凸部１５が三角形の場合、辺の数（角部の数）が比較的少なく、入力パターンの設定に限りがある。一方で、凸部１５が５角形以上の場合、辺の数（角部の数）が多くなり、ユーザーは凸部１５のどこに触れているのか認識するのが容易でなくなる。一方で、凸部１５が四角形の場合、比較的多くの入力パターンの設定が可能であるとともに、ユーザーは凸部１５のどこに触れているのか認識しすく、入力操作を行いやすい。
【００４４】
本実施形態では、検出手段は、凸部１５において互いに離れて設けられた複数の検知部３２を有し、この複数の検知部３２に対する指の通過順序によって指の動きを検出する。検出手段は、指の座標位置を検出するのではなく、凸部１５の複数の辺２１，２２，２３，２４における指の移動方向のみを検出することで指の動きを検出する。これによれば、例えば指の座標位置を検出するような高い分解能を有した検出手段（例えばタッチパッド）に比べて、実装が容易になるとともに、コストダウンを図ることができる。
【００４５】
本実施形態では、検出手段は、凸部１５に指が触れた時からその指が凸部１５から離れるまでの間の連続した指の動きをひとつの入力単位として検出する。このような検出手段によれば、いわゆる一筆書きで入力を行うことができるので、入力が行いやすい。
【００４６】
本実施形態では、認識手段は、凸部１５に対する指の動きとは鏡像となる指の動きがタッチパネル８，９に入力された時、その鏡像の元となる凸部１５に対する指の動きと同じ入力内容を認識する。これによれば、入力操作をユーザーが覚えやすくなる。
【００４７】
本実施形態では、格納手段は、電子機器１に対する任意の入力内容を、所定又は任意の指の動きと対応させて対応テーブルに追加的に記憶可能である。これによれば、特定の指の動作に、ショートカット機能を割り当て、特定のコマンドを凸部１５から入力することが可能になる。これは電子機器１の操作性をより向上させる。
【００４８】
図１０乃至図１２は、上記実施形態の変形例に係る電子機器１を示す。図１０に示すように、背面入力部１４は、凸部１５の第１乃至第４の角部ａ，ｂ，ｃ，ｄに検知部３２を有してもよい。このような構成によれば、より複雑な指の動きを検出できるため、入力パターンをより多く設定することができる。また、角部ａ，ｂ，ｃ，ｄの検知部３２に特別な機能を割り当てることもできる。なお、背面入力部１４の検知部３２は、凸部１５の辺２１，２２，２３，２４に設けられずに、角部ａ，ｂ，ｃ，ｄのみに設けてもよい。
【００４９】
図１１に示すように、背面入力部１４は、凸部１５ではなく、凸部１５周りの平坦部１６に検知部３２を設けてもよい。つまり検出部３１は、凸部１５の周囲において互いに離れて複数の検知部３２を設けてもよい。検知部３２は、平坦部１６において凸部１５の辺２１，２２，２３，２４に対応した部分に設けてもよく、角部ａ，ｂ，ｃ，ｄに対応した部分に設けてもよく、それらの両方に設けてもよい。
【００５０】
図１２に示すように、背面入力部１４は、凸部１５周りの平坦部１６にタッチパッド４１を備えてもよい。この変形例では、タッチパッド４１が検出部３１として機能し、凸部１５周りの指の動きを検出する。
【００５１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００５２】
例えば、凸部１５の平面１９は、デッドスペースとなるので、このスペースを活用してタッチパッドやスティック状の入力デバイスを設けてもよい。凸部１５は、三角形状や５角形以上の多角形状に形成されてもよい。
【符号の説明】
【００５３】
ａ，ｂ，ｃ，ｄ…角部、１…電子機器、２…筐体、３…前面、４…背面、８，９…タッチパネル、１４…背面入力部、１５…凸部、１６…平坦部、２１，２２，２３，２４…辺、３１…検出部、３２…検知部、３４…情報処理部、３５…記憶部。
【図１】
2015038645.tif 000003
【図２】
2015038645.tif 000004
【図３】
2015038645.tif 000005
【図４】
2015038645.tif 000006
【図５】
2015038645.tif 000007
【図６】
2015038645.tif 000008
【図７】
2015038645.tif 000009
【図８】
2015038645.tif 000010
【図９】
2015038645.tif 000011
【図１０】
2015038645.tif 000012
【図１１】
2015038645.tif 000013
【図１２】
2015038645.tif 000014
【手続補正書】
【提出日】平成23年9月13日(2011.9.13)
【手続補正１】
【補正対象書類名】明細書
【補正対象項目名】０００６
【補正方法】変更
【補正の内容】
【０００６】
実施形態によれば、電子機器は、筐体と、前記筐体の表面に設けられ、複数の辺を有した凸部と、前記凸部の少なくとも一つの辺の上または辺近くの動きを検出する検出手段と、前記動きと入力内容との関連が格納されるデータ構造を含む格納手段と、前記データ構造の前記入力内容と前記動きと比較し、前記検出手段が検出した前記動きから前記入力内容を認識する認識手段とを具備した。
【手続補正２】
【補正対象書類名】明細書
【補正対象項目名】００５２
【補正方法】変更
【補正の内容】
【００５２】
例えば、凸部１５の平面１９は、デッドスペースとなるので、このスペースを活用してタッチパッドやスティック状の入力デバイスを設けてもよい。凸部１５は、三角形状や５角形以上の多角形状に形成されてもよい。
以下に、いくつかの電子機器を付記する。
［１］、筐体と、前記筐体の表面に設けられ、複数の辺を有した凸部と、前記凸部の辺をなぞる指の動きを検出する検出手段と、前記指の動きと所定の入力内容とを対応させた対応テーブルを格納する格納手段と、前記対応テーブルを参照し、前記検出手段が検出した指の動きから入力内容を認識する認識手段と、を具備した電子機器。
［２］、［１］の記載において、前記検出手段は、前記凸部の複数の辺に亘る連続した指の動きを検出し、前記対応テーブルは、前記凸部の複数の辺に亘る連続した指の動きと所定の入力内容とを対応させた電子機器。
［３］、［１］または［２］の記載において、前記凸部は、矩形状に形成された電子機器。
［４］、［１］または［３］の記載において、前記検出手段は、前記凸部または前記凸部の周囲において互いに離れて設けられた複数の検知部を有し、この複数の検知部に対する指の通過順序によって指の動きを検出する電子機器。
［５］、［１］または［４］の記載において、前記検出手段は、前記凸部に指が触れた時からその指が前記凸部から離れるまでの間の連続した指の動きをひとつの入力単位として検出する電子機器。
［６］、［１］または［５］の記載において、前記筐体は、前面と、この前面とは反対側に位置した背面とを有し、当該電子機器は、前記筐体の前面に露出されたタッチパネルを有し、前記凸部は、前記筐体の背面に設けられた電子機器。
［７］、［６］の記載において、前記認識手段は、前記凸部に対する指の動きとは鏡像となる指の動きが前記タッチパネルに入力された時、その鏡像の元となる前記凸部に対する指の動きと同じ入力内容を認識する電子機器。
［８］、［１］または［７］の記載において、前記格納手段は、当該電子機器に対する任意の入力内容を、所定又は任意の指の動きと対応させて上記対応テーブルに追加的に記憶可能である電子機器。
［９］、［１］または［８］の記載において、前記検出手段は、指の座標位置を検出するのではなく、前記凸部の複数の辺における指の移動方向に基づいて指の動きを検出する電子機器。
［１０］前面とこの前面とは反対側に位置した背面とを有した筐体と、前記筐体の前面に露出されたタッチパネルと、前記筐体の背面に設けられた矩形状の凸部を有し、この凸部の辺をなぞる指の動きで入力を受け付ける背面入力部と、を具備した電子機器。
【手続補正３】
【補正対象書類名】特許請求の範囲
【補正対象項目名】全文
【補正方法】変更
【補正の内容】
【特許請求の範囲】
【請求項１】
筐体と、
前記筐体の表面に設けられ、複数の辺を有した凸部と、
前記凸部の少なくとも一つの辺の上または辺近くの動きを検出する検出手段と、
前記動きと入力内容との関連が格納されるデータ構造を含む格納手段と、
前記データ構造の前記入力内容と前記動きと比較し、前記検出手段が検出した前記動きから前記入力内容を認識する認識手段と、
を具備した電子機器。
【請求項２】
請求項１の記載において、
前記検出手段は、前記凸部の複数の辺の上または辺近くの連続した動きを検出し、前記連続した動きは、前記データ構造の前記入力内容と対応する電子機器。
【請求項３】
請求項１または請求項２の記載において、
前記凸部は、矩形状に形成された電子機器。
【請求項４】
請求項１または請求項３の記載において、
前記検出手段は、互いに離れて設けられた複数の検知部を有し、この複数の検知部に対する前記動きの通過順序を検出する電子機器。
【請求項５】
請求項１または請求項４の記載において、
前記検出手段は、前記凸部に対象が触れた時からその対象が前記凸部から離れるまでの間の連続した動きを検出する電子機器。
【請求項６】
請求項５の記載において、
前記対象は、指である電子機器。
【請求項７】
請求項１または請求項６の記載において、
前記筐体は、第１面と、この第１面とは反対側に位置した第２面とを有し、
当該電子機器は、前記第１面にタッチパネルを有し、
前記凸部は、前記第２面に設けられた電子機器。
【請求項８】
請求項７の記載において、
前記認識手段は、前記凸部に対する動きとは鏡像となる動きが前記タッチパネルに入力された時、その鏡像の元となる前記凸部に対する動きに対応した前記入力内容を認識する電子機器。
【請求項９】
請求項１または請求項８の記載において、
前記格納手段は、ユーザーが割り当てる入力内容を、ユーザーによって選ばれた任意の動きと対応させて格納可能である電子機器。
【請求項１０】
請求項１または請求項９の記載において、
前記検出手段は、前記凸部の複数の辺の上または辺近くの移動方向に基づいて動きを検出する電子機器。
【請求項１１】
第１面と、この第１面とは反対側に位置した第２面とを有した筐体と、
前記筐体の第１面に露出されたタッチパネルと、
前記筐体の第２面に設けられた矩形状の凸部を有し、この凸部の少なくとも一つの辺の上または辺近くの動きから入力を受け付ける入力部と、
を具備した電子機器。